(57)【要約】【課題】圧縮装置を単体で使用するのか、複数の圧縮装置を連結して使用するのかが簡単に設定でき、小量のエア消費から、大量のエア消費まで使用形態に幅広く対応することができる圧縮装置を提供すること。【解決手段】圧縮機１でエアを圧縮し、圧縮したエアをタンク４に貯留するとともにタンク４内のエア圧を検出手段５で検出し、該検出手段５の検出結果に基づいてタンク４内のエア圧が所定の値になった時には前記圧縮機１の運転が停止するようになされた圧縮装置Ａに、他の圧縮装置Ａと連結したときには、タンク４同士を接続して一次圧のエアを連通させる第1の連結手段１５と、連結した前記他の圧縮装置Ａの検出手段５の検出結果を互いに認識させる第２の連結手段１６を設け、前記検出手段５の何れかがタンク４内のエア圧が所定の値になったことを検出したときには全ての圧縮機１を停止させるようにした。【選択図】図１
2007332946.tif 000002
【特許請求の範囲】
【請求項１】
圧縮機でエアを圧縮し、圧縮したエアをタンクに貯留するとともにタンク内のエア圧を検出手段で検出し、該検出手段の検出結果に基づいてタンク内のエア圧が所定の値になった時には前記圧縮機の運転が停止するようになされた圧縮装置に、他の圧縮装置と連結したときには、タンク同士を接続して一次圧のエアを連通させる第１の連結手段と、連結した前記他の圧縮装置の検出手段の検出結果を互いに認識させる第２の連結手段を設け、前記検出手段の何れかがタンク内のエア圧が所定の値になったことを検出したときには全ての圧縮機を停止させることを特徴とする、圧縮装置。
【請求項２】
前記検出手段を圧力スイッチで構成した、請求項１記載の圧縮装置。
【請求項３】
前記検出手段を圧力センサで構成した、請求項１記載の圧縮装置。
【発明の詳細な説明】
【技術分野】
【０００１】
本発明は、圧縮装置、詳しくは単体で使用する場合と他の圧縮装置と連結して使用する場合の何れの使用態様にも対応することができる圧縮装置に関するものである。
【背景技術】
【０００２】
近年、建築市場では高強度住宅に移行している。これにより工法が変化し、部材の硬化やネジ化、または大量に使用するなどでエア工具で使用するエアの消費が大量になりエア供給が追いつかない状況となっている。このため複数台の圧縮機を管路で接続して使用している圧縮空気製造システムが提案されている（例えば、特許文献１）。このシステムは２つの圧縮機ユニットに圧縮空気管を介して圧縮空気を１つの空気槽に貯留するようにしたものである。
【特許文献１】特開２００５−３３７２０４号公報
【発明の開示】
【発明が解決しようとする課題】
【０００３】
本発明が解決しようとする問題点は、上述のシステムでは、それぞれの制御装置はそれぞれの圧力スイッチによって圧縮機の動作・停止を制御しているが、圧力スイッチの製品バラツキにより一方の圧縮機ユニットは停止しているが、他方の圧縮機ユニットは動き続けているものが発生する可能性があった。つまり、単純に複数の圧縮ユニットを連結しただけでは、タンクに圧縮空気を貯留するのに時間がかかり、効率が悪い場合がある。
【０００４】
本発明は、上記問題点を解決し、複数の圧縮ユニットでタンクに圧縮空気を貯留させることにおいて、圧縮装置を単体で使用するのか、複数の圧縮装置を連結して使用するのかが簡単に設定できる拡張システム機能を持ち、小量のエア消費から、大量のエア消費まで使用形態に幅広く対応することができるとともに、ユーザーの作業性の向上を図ることができる圧縮装置を提供することを課題とする。
【課題を解決するための手段】
【０００５】
前記課題を解決するために本発明に係る圧縮装置は、圧縮機でエアを圧縮し、圧縮したエアをタンクに貯留するとともにタンク内のエア圧を検出手段で検出し、該検出手段の検出結果に基づいてタンク内のエア圧が所定の値になった時には前記圧縮機の運転が停止するようになされた圧縮装置に、他の圧縮装置と連結したときには、タンク同士を接続して一次圧のエアを連通させる第１の連結手段と、連結した前記他の圧縮装置の検出手段の検出結果を互いに認識させる第２の連結手段を設け、前記検出手段の何れかがタンク内のエア圧が所定の値になったことを検出したときには全ての圧縮機を停止させることを特徴とする。
【０００６】
なお、前記検出手段を圧力スイッチで構成することが好ましい。
【０００７】
また、前記検出手段を圧力センサで構成しても構わない。
【発明の効果】
【０００８】
本発明によれば、同一構造の圧縮装置を単体で使用するのか、複数連結して使用するのかが容易に選択でき、現場の作業状況に柔軟に対応することができる圧縮装置を提供することができる。
【発明を実施するための最良の形態】
【０００９】
図１は、本発明に係る圧縮装置Ａの構成を説明する概略図を示し、この圧縮装置Ａはエアを圧縮する圧縮機１と、この圧縮機１を駆動するモータ２と、このモータ２に電力を供給し、モータ２を駆動する駆動回路３と、圧縮機１の吐出側に接続され、圧縮したエアを蓄積するタンク４と、タンク４内のエア圧を検出し、エア圧が所定圧力になると駆動回路３への電圧の供給を停止する検出手段である圧力スイッチ５とで主に構成されている。
【００１０】
なお、タンク４に形成された連結口６が圧縮装置Ａの外部に露出し、この連結口６は着脱自在なキャップ７で通常は塞がれている。
【００１１】
そして、上記検出手段である圧力スイッチ５と駆動回路３であるインバータ回路が搭載されたインバータ基板１０との間には４極コネクタ１１が配置され、この４極コネクタ１１を、図２（ａ）に示すように、コネクタ１１ａ、１１ｂとコネクタ１１ｃ、１１ｄとをそれぞれジャンパ１２短絡することにより４極コネクタ１１を経由してインバータ基板１０に圧力スイッチ５が接続されるようになっている。
【００１２】
圧縮装置Ａを単独使用時には、上述のように、４極コネクタ１１にジャンパ１２を接続し、圧力スイッチ５がＯＮ時にはインバータ基板に電圧が供給されてインバータ回路が作動し、圧力スイッチ５がＯＦＦ時にはインバータ基板に電圧が供給されずインバータ回路が作動しないようになっている。
【００１３】
上記構成の圧縮装置を２台連結して使用する場合は、図１（ｂ）に示すように、タンク４の連結口６を塞いでいるキャップ７を外してタンク４同士を第１の連結手段である連結管１５で図示しない減圧弁を通さない一次圧のエアを連通させて一体化し、タンク４の容量を２倍にするとともに、タンク内のエア圧（一次圧）が等しくなるようにする。
【００１４】
そして、第２の連結手段である接続ケーブル１６で４極コネクタ１１同士を接続する。この接続ケーブル１６は、図２（ｂ）に示すように、電源電圧ＶＣＣ同士と接地ＧＮＤ同士とをそれぞれ電源線１６ａと接地線１６ｂとで接続するとともに、電源線１６ａと接地線１６ｂの間に圧力スイッチ５が直列に接続されるように接続線１６ｃが設けられ、何れか一方でも圧力スイッチ５がＯＦＦになると、両方のインバータ基板に電圧が供給されずインバータ回路が作動しないようになっている。
【００１５】
上記構成の圧縮装置によれば、タンク４同士は連結管１５で連結されているので、どちらか一方の圧縮装置Ａに図示しないエア取り出し口からエアネイラなどのエア工具を接続してエアを使用する場合には、タンク４の容量が２倍になり大量のエアを消費することが可能になる。
【００１６】
そして、２つの圧力スイッチ５は同じ圧力で作動するようになっているので、タンク４内のエア圧が低下し何れか一方の圧力スイッチ５がＯＮになると、インバータ基板１０に電圧が供給されインバータ回路が作動してモータ２が回転を始める。この時は両方の圧縮機１が作動するので実質的に大きな容量になったタンク４でありながら、短時間にタンク４内のエアを所定の圧力に上昇させることができる。タンク４内の圧力が所定の圧力になりどちらかの圧力スイッチ５がＯＦＦになるとインバータ基板１０に電圧が供給されなくなり、両方のモータ２は同時に止まり圧縮機１が同時に停止するので、どちらか一方の圧縮機１が停止し、他方の圧縮機１が連続して作動するようなことがなく、一方の圧縮機にのみ負担がかかるような問題を回避することができる。
【００１７】
上述の圧縮装置は圧力スイッチ５でインバータ基板１０に電圧を供給するか否かで、タンク４内の圧力を制御していたが、図３に示すように、圧力スイッチ５に変えて圧力センサ５´でタンク４内の圧力をそれぞれ検出し、その圧力信号Ｓ１に基づいてインバータ回路３０を制御するようにしてもよい。この場合、第２の連結手段である接続ケーブル１７でコネクタ同士を接続する。圧力装置Ａは接続ケーブル１７を介して、連結した他の圧力装置Ａに圧力信号Ｓ１送信し、自身の圧力信号Ｓ１とともに他の圧縮装置Ａの圧力信号Ｓ１によってもインバータ回路３０を制御することができるようにしても構わない。
【００１８】
この場合、インバータ回路３０を制御する制御回路２０は、圧力センサ５´の圧力信号Ｓ１を判断し、圧力センサ５´が所定の圧力を検出したと判断した時、インバータ制御信号Ｓ２を制御してインバータ回路３０の作動を停止させるとともに、圧力信号Ｓ１を信号線１７を介して他の圧縮装置Ａの制御回路２０に送信し、受信した制御回路２０は自身の圧力信号Ｓ１に加え、他の圧縮装置の圧力信号Ｓ１も併せて判断し、インバータ回路３０の制御信号Ｓ２を制御するようにしてもよい。
【００１９】
なお、上述の圧縮装置Ａの場合、電源を共通にした場合は、図４（ａ）に示すように、ＮＯＲ回路２１を介して接続すればよく、電源を共通にしない場合は、図４（ｂ）に示すように、フォトカプラ２２を介して接続すればよい。
【００２０】
上述した圧縮装置によれば、２つの圧縮装置を連結し、タンク４を一体化させるとともに、各タンク４の圧力を検出する検出手段を共有することにより、タンク４内の圧力が所定の圧力になると２つの圧縮装置は同時に圧縮機１の作動を停止し、何れかの圧縮装置が継続して運転をするようなことがなくなる。
【００２１】
しかも、タンク４を連結して容積を大きくしたにもかかわらず、２つの圧縮機１でエアを圧縮するので、タンク４内のエアの圧力が所定の圧力に到達する時間が長くなるようなことがなくなり、大量のエアを使用する作業に有効に対応することができる。
【００２２】
また、圧力スイッチ、圧力センサに係らず制御回路における電流値等の信号によって、運転状態を監視した場合も同じ効果が得られる。
【図面の簡単な説明】
【００２３】
【図１】（ａ）（ｂ）は本発明に係る圧縮装置の概略図と、この圧縮装置を２台連結した状態を説明する概略図
【図２】（ａ）（ｂ）は、上記圧縮装置の説明図と、連結した状態の説明図
【図３】（ａ）（ｂ）は、上記圧縮装置の他の例を説明する概略図と、連結した状態を説明する概略図
【図４】（ａ）（ｂ）は、上記他の例の圧縮装置の説明図と、連結した状態の説明図
【符号の説明】
【００２４】
１    圧縮機
４    タンク
５    検出手段（圧力スイッチ）
５´    検出手段（圧力センサ）
１５    第１の連結手段（連結管）
１６    第２の連結手段（接続ケーブル）
１７    第２の連結手段（接続ケーブル）
Ａ    圧縮装置
【図１】
2007332946.tif 000003
【図２】
2007332946.tif 000004
【図３】
2007332946.tif 000005
【図４】
2007332946.tif 000006